(57)【要約】【課題】通信対象となる機器を、ユーザの煩雑な操作を要することなく容易に指定すること。【解決手段】情報処理装置は、受光部と、制御部と、通信部とを有する。上記受光部は、他の機器が発した光学信号を受光可能である。上記制御部は、上記受光された光学信号を基に、上記他の機器をネットワーク上で識別する識別情報を取得可能である上記通信部は、上記取得された識別情報を基に、上記他の機器との間で接続を確立可能である。【選択図】図４
2014053667.tif 000002
【特許請求の範囲】
【請求項１】
他の機器が発した光学信号を受光可能な受光部と、
前記受光された光学信号を基に、前記他の機器をネットワーク上で識別する識別情報を取得可能な制御部と、
前記取得された識別情報を基に、前記他の機器との間で接続を確立可能な通信部と
を具備する情報処理装置。
【請求項２】
請求項１に記載の情報処理装置であって、
前記受光部は、前記他の機器を撮像可能であり、
前記情報処理装置は、前記撮像された他の機器の像を表示可能な表示部をさらに具備し、
前記制御部は、前記他の機器の像が前記表示部に表示された場合に前記識別情報を取得可能である
情報処理装置。
【請求項３】
請求項２に記載の情報処理装置であって、
前記他の機器は、前記光学信号として、前記識別情報に対応した所定の画像を表示可能であり、
前記受光部は、前記画像を撮像可能であり、
前記制御部は、前記撮像された画像から前記識別情報を取得可能である
情報処理装置。
【請求項４】
請求項２に記載の情報処理装置であって、
前記受光部は、前記他の機器の少なくとも一部の像を前記光学信号として受光可能であり、
前記制御部は、前記他の機器の少なくとも一部の像を対象とした物体認識処理の結果に基づいて前記他の機器の識別情報を取得可能である
情報処理装置。
【請求項５】
請求項１に記載の情報処理装置であって、
前記他の機器へ前記光学信号の発信を要求する要求信号を送信可能な送信部をさらに具備する
情報処理装置。
【請求項６】
請求項２に記載の情報処理装置であって、
前記他の機器の像が前記表示部に複数表示された場合に、複数の像のうちいずれか１つを選択する操作を受け付け可能な操作受付部をさらに具備し、
前記制御部は、前記操作により選択された像に対応する機器の前記識別情報を取得可能である
情報処理装置。
【請求項７】
請求項１に記載の情報処理装置であって、
コンテンツを記憶する記憶部をさらに具備し、
前記制御部は、前記接続を確立した他の機器へ、前記コンテンツを送信するように前記通信部を制御可能である
情報処理装置。
【請求項８】
請求項１に記載の情報処理装置であって、
前記受光部は、第１の機器が発した第１の光学信号と、前記第１の機器とは異なる第２の機器が発した第２の光学信号を受光可能であり、
前記制御部は、前記第１の光学信号を基に前記第１の機器の第１の識別情報を取得し、前記第２の光学信号を基に前記第２の機器の第２の識別情報を取得することが可能であり、
前記通信部は、前記第１の識別情報を基に前記第１の機器と接続を確立し、前記第２の識別情報を基に前記第２の機器と接続を確立し、前記第１の機器と前記第２の機器との間のアクセス設定を変更するように要求する設定変更要求を前記第１の機器または前記第２の機器へ送信することが可能である
情報処理装置。
【請求項９】
請求項１に記載の情報処理装置であって、
前記受光部は、第１の機器が発した第１の光学信号と、前記第１の機器とは異なる第２の機器が発した第２の光学信号を受光可能であり、
前記制御部は、前記第１の光学信号を基に前記第１の機器の第１の識別情報を取得し、前記第２の光学信号を基に前記第２の機器の第２の識別情報を取得することが可能であり、
前記通信部は、前記第１の識別情報を基に前記第１の機器と接続を確立し、前記第２の識別情報を基に前記第２の機器と接続を確立し、前記第１の機器と前記第２の機器との間のアクセス設定を変更するように要求する設定変更要求を、当該アクセス設定を管理するネットワーク上のサーバへ送信することが可能である
情報処理装置。
【請求項１０】
請求項１に記載の情報処理装置であって、
前記光学信号は赤外光として発せられ、
前記受光部は、前記赤外光を受光可能である
情報処理装置。
【請求項１１】
第１の機器と第２の機器とを具備する情報処理システムであって、
前記第１の機器は、
前記第２の機器が発した光学信号を受光可能な受光部と、
前記受光された光学信号を基に、前記第２の機器をネットワーク上で識別する識別情報を取得可能な制御部と、
前記取得された識別情報を基に、前記第２の機器へ接続確立要求を送信可能な第１の通信部とを有し、
前記第２の機器は、
前記光学信号を発する発光部と、
前記送信された接続確立要求に応じて、前記第１の機器との間で接続を確立可能な第２の通信部とを有する
情報処理システム。
【請求項１２】
他の機器が発した光学信号を受光し、
前記受光された光学信号を基に、前記他の機器をネットワーク上で識別する識別情報を取得し、
前記取得された識別情報を基に、前記他の機器との間で接続を確立する
情報処理方法。
【請求項１３】
情報処理装置に、
他の機器が発した光学信号を受光するステップと、
前記受光された光学信号を基に、前記他の機器をネットワーク上で識別する識別情報を取得するステップと、
前記取得された識別情報を基に、前記他の機器との間で接続を確立するステップと
を実行させるプログラム。
【発明の詳細な説明】
【技術分野】
【０００１】
本技術は、カメラまたは受光素子を有し他の情報処理装置と通信することが可能な情報処理装置、当該情報処理装置を含む情報処理システム、当該情報処理装置における情報処理方法及びプログラムに関する。
【背景技術】
【０００２】
従来から、ネットワーク上に複数の通信機器が存在する環境で、情報処理装置が特定の機器と通信する場合、そのユーザは、例えば機器の一覧上で、ＭＡＣアドレス、ＩＰアドレス、または機器の型番等の情報を確認し、それらを基に通信相手となる機器を選択する必要がある。
【先行技術文献】
【特許文献】
【０００３】
【特許文献１】特開２００４−１７１３３１号公報
【発明の概要】
【発明が解決しようとする課題】
【０００４】
しかし、上記ＭＡＣアドレス等の情報は、一般のユーザには理解しにくいものであり、ユーザはスムースに通信相手を選択することができない。
【０００５】
以上のような事情に鑑み、本技術の目的は、通信対象となる機器を、ユーザの煩雑な操作を要することなく容易に指定することが可能な情報処理装置、情報処理システム、情報処理方法及びプログラムを提供することにある。
【課題を解決するための手段】
【０００６】
上述の課題を解決するため、本技術の一形態に係る情報処理装置は、受光部と、制御部と、通信部とを有する。上記受光部は、他の機器が発した光学信号を受光可能である。上記制御部は、上記受光された光学信号を基に、上記他の機器をネットワーク上で識別する識別情報を取得可能である上記通信部は、上記取得された識別情報を基に、上記他の機器との間で接続を確立可能である。
【０００７】
この構成により情報処理装置は、他の機器が発する光学信号から識別情報を取得することで、通信対象となる機器を容易に指定することができる。
【０００８】
上記受光部は、上記他の機器を撮像可能であってもよい。この場合上記情報処理装置は、上記撮像された他の機器の像を表示可能な表示部をさらに具備してもよく、上記制御部は、上記他の機器の像が上記表示部に表示された場合に上記識別情報を取得可能であってもよい。
【０００９】
これにより情報処理装置は、ユーザが、表示部に他の機器の像を表示させるべく受光部を他の機器に向けたことを契機に当該他の機器の識別情報を取得することができる。したがってユーザは受光部を他の機器へ向けるという極めて簡易な動作のみで他の機器との接続を確立させることができる。
【００１０】
上記他の機器は、上記光学信号として、上記識別情報に対応した所定の画像を表示可能であってもよい。この場合上記受光部は、上記画像を撮像可能であってもよく、上記制御部は、上記撮像された画像から上記識別情報を取得可能であってもよい。
【００１１】
これにより情報処理装置は、他の機器に表示された所定の画像を基に他の機器と接続を確立できる。ここで所定の画像とは、例えば図形、文字、模様等であるが、これらに限られない。
【００１２】
上記受光部は、上記他の機器の少なくとも一部の像を上記光学信号として受光可能であってもよい。この場合上記制御部は、上記他の機器の少なくとも一部の像を対象とした物体認識処理の結果に基づいて上記他の機器の識別情報を取得可能であってもよい。
【００１３】
これにより情報処理装置は、他の機器の形状そのものから物体認識処理により識別情報を取得することができる。ここで上記物体認識処理は、制御部自身が実行してもよいし、ネットワーク上のサーバが実行してもよい。後者の場合、制御部が通信部を介してネットワーク上のサーバへ他の機器の像を送信し、当該サーバ上での物体認識処理の結果を、通信部を介して受信する。
【００１４】
上記情報処理装置は、上記他の機器へ上記光学信号の発信を要求する要求信号を送信可能な送信部をさらに有してもよい。
【００１５】
これにより情報処理装置は、要求信号の送信により他の機器に光学信号を発信させ、識別情報を取得することができる。ここで送信部は、例えば他の機器が有する赤外線受光部に向けて要求信号を赤外光として送信可能な赤外線送信部であってもよいし、ＬＡＮを介して要求信号を他の機器へ送信可能なネットワークインタフェースであってもよい。
【００１６】
上記情報処理装置は、上記他の機器の像が上記表示部に複数表示された場合に、複数の像のうちいずれか１つを選択する操作を受け付け可能な操作受付部をさらに有してもよい。この場合上記制御部は、上記操作により選択された像に対応する機器の上記識別情報を取得可能であってもよい。
【００１７】
これによりユーザは、受光部により複数の機器が撮像された場合でも、いずれかを選択する操作を行うことで通信対象の機器を容易に指定することができる。ここで選択操作は例えばタッチ操作であり、この場合表示部はタッチパネルと一体的に構成されていてもよい。
【００１８】
上記情報処理装置は、コンテンツを記憶する記憶部をさらに有してもよい。この場合上記制御部は、上記接続を確立した他の機器へ、上記コンテンツを送信するように上記通信部を制御可能であってもよい。
【００１９】
これにより情報処理装置は、ユーザによる煩雑な操作を要することなくコンテンツ送信対照として他の機器を指定してコンテンツを送信することができる。
【００２０】
上記受光部は、第１の機器が発した第１の光学信号と、上記第１の機器とは異なる第２の機器が発した第２の光学信号を受光可能であってもよい。この場合上記制御部は、上記第１の光学信号を基に上記第１の機器の第１の識別情報を取得し、上記第２の光学信号を基に上記第２の機器の第２の識別情報を取得することが可能であってもよい。またこの場合上記通信部は、上記第１の識別情報を基に上記第１の機器と接続を確立し、上記第２の識別情報を基に上記第２の機器と接続を確立し、上記第１の機器と上記第２の機器との間のアクセス設定を変更するように要求する設定変更要求を上記第１の機器または上記第２の機器へ送信することが可能であってもよい。
【００２１】
これにより情報処理装置は、第１の機器と第２の機器からそれぞれ識別情報を取得し、それらを基に、第１の機器または第２の機器に、両者間のアクセス設定を変更させることができる。
【００２２】
上記受光部は、第１の機器が発した第１の光学信号と、上記第１の機器とは異なる第２の機器が発した第２の光学信号を受光可能であってもよい。この場合上記制御部は、上記第１の光学信号を基に上記第１の機器の第１の識別情報を取得し、上記第２の光学信号を基に上記第２の機器の第２の識別情報を取得することが可能であってもよい。またこの場合上記通信部は、上記第１の識別情報を基に上記第１の機器と接続を確立し、上記第２の識別情報を基に上記第２の機器と接続を確立し、上記第１の機器と上記第２の機器との間のアクセス設定を変更するように要求する設定変更要求を、当該アクセス設定を管理するネットワーク上のサーバへ送信することが可能であってもよい。
【００２３】
これにより情報処理装置は、第１の機器と第２の機器からそれぞれ識別情報を取得し、それらを基に、サーバに第１の機器と第２の機器との間のアクセス設定を変更させることができる。
【００２４】
上記光学信号は赤外光として発せられてもよく、上記受光部は、上記赤外光を受光可能であってもよい。
【００２５】
これにより情報処理装置は、光学信号が赤外光として発せされている場合でもそれを受光可能であるため、他の機器は光学信号を赤外光として発することで、それがユーザの目に触れてユーザがうっとうしさを感じるのを防ぐことができる。
【００２６】
本技術の他の形態に係る情報処理システムは、第１の機器と第２の機器とを有する。
上記第１の機器は、受光部と、制御部と、第１の通信部とを有する。上記受光部は、上記第２の機器が発した光学信号を受光可能である。上記制御部は、上記受光された光学信号を基に、上記第２の機器をネットワーク上で識別する識別情報を取得可能である。上記第１の通信部は、上記取得された識別情報を基に、上記第２の機器へ接続確立要求を送信可能である。
上記第２の機器は、上記光学信号を発する発光部と、上記送信された接続確立要求に応じて、上記第１の機器との間で接続を確立可能な第２の通信部とを有する。
【００２７】
本技術のまた別の形態に係る情報処理方法は、他の機器が発した光学信号を受光すること、上記受光された光学信号を基に、上記他の機器をネットワーク上で識別する識別情報を取得すること、及び上記取得された識別情報を基に、上記他の機器との間で接続を確立することを含む。
【００２８】
本技術のさらに別の形態に係るプログラムは、情報処理装置に、受光ステップと、取得ステップと、確立ステップとを実行させる。上記受光ステップでは、他の機器が発した光学信号が受光される。上記取得ステップでは、上記受光された光学信号を基に、上記他の機器をネットワーク上で識別する識別情報が取得される。上記確立ステップでは、上記取得された識別情報を基に、上記他の機器との間で接続が確立される。
【発明の効果】
【００２９】
以上のように、本技術によれば、通信対象となる機器を、ユーザの煩雑な操作を要することなく容易に指定することができる。
【図面の簡単な説明】
【００３０】
【図１】本技術の第１の実施形態におけるシステムの概要を示した図である。
【図２】上記システムにおけるスマートフォンのハードウェア構成を示したブロック図である。
【図３】上記システムにおけるスマートフォン及びＴＶのソフトウェアモジュール構成を示したブロック図である。
【図４】上記システムにおけるスマートフォン及びＴＶの動作の流れを示したシーケンス図である。
【図５】上記スマートフォンがＴＶの表示部に表示されたＩＤ情報を読み取る様子を示した図である。
【図６】本技術の第２の実施形態におけるシステムの概要を示した図である。
【図７】上記第２の実施形態におけるスマートフォン、ＴＶ及びサーバのソフトウェアモジュール構成を示したブロック図である。
【図８】上記第２の実施形態におけるスマートフォン、ＴＶ及びサーバの動作の流れを示したシーケンス図である。
【図９】本技術の第３の実施形態におけるスマートフォン、ＴＶ及びＢＤレコーダの動作の流れを示したシーケンス図である。
【図１０】本技術の第４の実施形態におけるスマートフォン、ＴＶ、ＢＤレコーダ及びサーバの動作の流れを示したシーケンス図である。
【発明を実施するための形態】
【００３１】
以下、本技術に係る実施形態を、図面を参照しながら説明する。
【００３２】
＜第１の実施形態＞
まず、本技術の第１の実施形態を説明する。
【００３３】
［システムの概要］
図１は、本実施形態に係るシステムの概要を示した図である。
【００３４】
同図に示すように、このシステムは、スマートフォン１００、ＴＶ２００、ＰＣ３００、ＢＤ（Blu-ray Disc）レコーダ４００等の複数の情報処理装置から構成される。これらの装置は、例えばホームネットワーク（家庭内ＬＡＮ）１０等のネットワークを形成する。
【００３５】
ホームネットワーク１０は、例えばＤＬＮＡ（Digital Living Network Alliance）規格に準拠したネットワークである。このホームネットワーク１０上では、各機器は、ＤＬＮＡにおけるＤＭＲ（Digital Media Renderer）、ＤＭＳ（Digital Media Server）、ＤＭＰ（Digital Media Player）、ＤＭＣ（Digital Media Controller）のいずれにも機能しうる。本実施形態では、スマートフォン１００が主にＤＭＣまたはＤＭＳとして、ＰＣ３００及びＢＤレコーダ４００が主にＤＭＳとして、ＴＶ２００が主にＤＭＰまたはＤＭＲとして機能する。
【００３６】
例えば、ＤＭＳとしてのスマートフォン１００は、ＤＭＰとしてのＴＶ２００に対して、自身が有するコンテンツを取得して再生するように指示することができる。またＤＭＣとしてのスマートフォン１００は、ＤＭＰとしてのＴＶ２００に対して、ＤＭＳとしてのＢＤレコーダ４００に記憶されたコンテンツを取得して再生するように指示することができる。
【００３７】
同図では計４台の情報処理装置が示されているが、ホームネットワーク１０に接続される情報処理装置の数はこれに限られず、３台以下でも５台以上でもよい。
【００３８】
スマートフォン１００がＤＭＣとして機能する場合、そのユーザは、スマートフォン１００またはホームネットワーク１０上の他の機器に記憶されたコンテンツを、ＤＭＰとしての機器に再生させることを望む場合、当該ＤＭＣとなる機器を指定する必要がある。詳細は後述するが、本実施形態では、この機器の指定にあたり、スマートフォン１００のカメラが用いられることで、処理の簡便化が図られている。
【００３９】
［スマートフォンのハードウェア構成］
図２は、上記スマートフォン１００のハードウェア構成を示したブロック図である。
【００４０】
同図に示すように、スマートフォン１００は、ＣＰＵ（Central Processing Unit）１１、ＲＡＭ（Random Access Memory）１２、不揮発メモリ１３、表示部１４、カメラ１５、センサ部１６及び通信部１７を有する。
【００４１】
ＣＰＵ１１は、必要に応じてＲＡＭ１２等に適宜アクセスし、各種演算処理を行いながらスマートフォン１００の各ブロック全体を統括的に制御する。ＲＡＭ１２は、ＣＰＵ１１の作業用領域等として用いられ、ＯＳ、実行中の各種アプリケーション、処理中の各種データを一時的に保持する。
【００４２】
不揮発メモリ１３は、例えばフラッシュメモリやＲＯＭ（Read Only Memory）であり、ＣＰＵ１１に実行させるＯＳ、プログラム（アプリケーション）や各種パラメータなどのファームウェアを固定的に記憶する。
【００４３】
また不揮発メモリ１３は、カメラ１５により撮像された静止画像データ（例えば他の機器の画像データ）や、それらの画像から取得された他の機器のＩＤデータ（後述）を記憶する。
【００４４】
表示部１４は、例えばＬＣＤ（Liquid Crystal Display）やＯＥＬＤ（Organic ElectroLuminescence Display）であり、各種メニューやアプリケーションのＧＵＩ等を表示する。典型的には、表示部１４は、タッチパネルと一体とされており、ユーザのタッチ操作を受け付け可能である。また表示部１４は、カメラ１５のファインダーとしての機能も兼ね備えている。
【００４５】
カメラ１５は、例えばＣＭＯＳ（Complementary Metal Oxide Semiconductor）やＣＣＤ（Charge Coupled Devices）センサ等の撮像素子により、静止画（写真）及び動画を撮像する。
【００４６】
センサ部１６は、種々のセンサからなり、スマートフォン１００の位置情報（緯度・経度情報）、方位情報、物理情報（加速度・重力情報）等を検出する。
【００４７】
通信部１７は、例えばＤＬＮＡ規格に従って、ホームネットワーク１０を介して他の機器と通信する。また通信部１７は、ＷｉＦｉ（Wireless Fidelity）等の無線ＬＡＮ（IEEE802.11等）や移動通信用の３Ｇや４Ｇのネットワークにも接続可能である。
【００４８】
図示しないが、ＴＶ２００、ＰＣ３００、ＢＤレコーダ４００等の他の機器のハードウェア構成も、カメラを有していない点を除き、概ねスマートフォン１００のハードウェア構成と同様である。またこれらの機器では、記憶部として、不揮発メモリの代わりにＨＤＤ（Hard Disk Drive）が用いられる場合もある。
【００４９】
［スマートフォン及びＴＶのモジュール構成］
図３は、上記スマートフォン１００及びＴＶ２００が有するソフトウェアモジュールの構成を示した図である。
【００５０】
（スマートフォンのモジュール）
同図に示すように、スマートフォン１００は、ＵＩ（ユーザインタフェース）表示部１１０、ＩＤ表示依頼信号送信部１２０、ＩＤ情報読み取り部１３０、コンテンツ保持部１４０、アクセス権管理部１５０及びコンテンツ配信部１６０の各ソフトウェアモジュールを有する。
【００５１】
ＵＩ表示部１１０は、スマートフォン１００が有する各種機能を実行するためのメニュー画面や各種アプリケーションのＵＩのほか、ホームネットワーク１０上における他の機器との通信処理において必要となるＵＩ等を表示部１４に表示し、ユーザの操作を受け付ける。
【００５２】
ＩＤ表示依頼信号送信部１２０は、通信対象の機器に対して、当該機器を識別するＩＤ情報を光学信号として表示するように依頼するＩＤ表示依頼信号を送信する。このＩＤ表示依頼信号送信部１２０は、例えば上記通信部１７が担ってもよいし、例えばスマートフォン１００に別途設けられた赤外線送信部により実現されてもよい。
【００５３】
ＩＤ情報読み取り部１３０は、上記ＩＤ表示依頼信号に応じて通信対象の機器から発せられた光学信号からＩＤを読み取る。
【００５４】
コンテンツ保持部１４０は、映像データや静止画像データ等のコンテンツを保持する。
【００５５】
アクセス権管理部１５０は、ホームネットワーク１０内における各機器間のアクセス権（許可／不許可）に関する情報を管理する。
【００５６】
コンテンツ配信部１６０は、ＩＤを基に接続を確立した他の機器（ＴＶ２００等）からの要求に応じて、上記コンテンツ保持部１４０に保持されたコンテンツを配信する。
【００５７】
（ＴＶのモジュール）
ＴＶ２００は、ＩＤ表示依頼信号受信部２１０、ＩＤ情報送出部２２０、コンテンツ取得部２３０及びコンテンツ再生部２４０の各ソフトウェアモジュールを有する。
【００５８】
ＩＤ表示依頼信号受信部２１０は、スマートフォン１００のＩＤ表示依頼信号送信部１２０から送信されたＩＤ表示依頼信号を受信し、ＩＤ情報送出部２２０へ渡す。
【００５９】
ＩＤ情報送出部２２０は、上記ＩＤ表示依頼信号に応じて、光学信号としてのＩＤ情報を送出（表示）する。本実施形態では、ＩＤ情報は、例えばＴＶ２００の表示部に図形画像として表示されるが、ＩＤ情報の形態はこれに限られない。
【００６０】
コンテンツ取得部２３０は、ＩＤ情報が読み取られることでスマートフォン１００との接続が確立された後、スマートフォン１００に保持されたコンテンツを、ホームネットワーク１０を介して取得する。
【００６１】
コンテンツ再生部２４０は、上記コンテンツ取得部２３０により取得されたコンテンツを再生する。
【００６２】
同図において、ＴＶ２００が有するものとして説明された各モジュールは、あくまで本実施形態においてＤＭＰとして機能する機器全般が有するモジュールであり、ＴＶ２００のみが有するものではない。
【００６３】
［システムの動作］
次に、以上のように構成されたシステムの動作を、スマートフォン１００及びＴＶ２００の動作を中心に説明する。本実施形態及び他の実施形態において、スマートフォン１００及びＴＶ２００における動作は、ＣＰＵと、その制御下において実行される上記各ソフトウェアモジュールとで協働して行われる。
【００６４】
図４は、本実施形態におけるスマートフォン１００及びＴＶ２００の動作の流れを示したシーケンス図である。同図では、スマートフォン１００が、ＴＶ２００と接続を確立して、自身が保持する特定のコンテンツを、DLNA PushによりＴＶ２００へ配信して再生させる場合を例に説明する。
【００６５】
同図に示すように、まず、スマートフォン１００のユーザは、ＵＩ表示部１１０を介して、コンテンツの選択及びDLNA Pushの開始を要求する操作を入力する（ステップ４１）。
【００６６】
続いてスマートフォン１００のＩＤ表示依頼信号送信部１２０は、コンテンツ配信対象の機器を選択するようユーザに要求する画面（例えばメッセージ）を表示部１４に表示する（ステップ４２）。
【００６７】
上記選択要求に対して、ユーザは、表示部１４にＴＶ２００が映るように、カメラ１５をＴＶ２００の方向へ向ける（ステップ４３）。この際、表示部１４のＵＩには、例えば、上記選択要求に対して選択処理が完了したか否かをユーザに確認するインタフェース（例えばＯＫ／キャンセルボタン）が表示され、ユーザはＴＶ２００へカメラを向けると、当該ＯＫボタンを押下する。
【００６８】
機器の選択が完了した場合、ＩＤ表示依頼信号送信部１２０は、ＴＶ２００に対して、赤外線通信によりＩＤ表示依頼信号を送信する（ステップ４４）。
【００６９】
ＴＶ２００のＩＤ表示依頼信号受信部２１０は、スマートフォン１００からの上記ＩＤ表示依頼信号を受信し、それをＩＤ情報送出部２２０へ渡す。ＩＤ情報送出部２２０は、ＴＶ２００の表示部に、ＩＤ情報としての図形を表示する（ステップ４５）。この図形には、例えばＩＰアドレス、ＭＡＣアドレス、型番等、ホームネットワーク１０上でＴＶ２００を一意に識別可能な情報が関連付けられている。
【００７０】
上記図形が表示されると、ユーザは、ＵＩ表示部１１０を介して、ＩＤ読み取りを指示する操作を入力する（ステップ４６）。当該操作に応じて、スマートフォンのＩＤ情報読み取り部１３０は、当該図形からＩＤ情報を読み取る（ステップ４７）。ここで、ＩＤ情報読み取り部１３０は、上記ステップ４６におけるＩＤ読み取り指示を待つことなくＩＤ情報を読み取っても構わない。
【００７１】
図５は、上記スマートフォン１００がＴＶ２００の表示部に表示されたＩＤ情報を読み取る様子を示した図である。
【００７２】
同図に示すように、ＴＶ２００の表示部には図形Ｐ（例えば円）が表示されており、スマートフォン１００のＩＤ情報読み取り部１３０は、当該図形Ｐから、対応するＴＶ２００のＩＤ情報を読み取る。ＩＤ情報読み取り部１３０は、例えば、複数種類の図形とＩＤとの対応関係を予め規定したテーブルを保持しており、上記図形Ｐの形状と、当該テーブルを参照してＩＤ情報を読み取る。
【００７３】
図４に戻り、ＩＤ情報が読み取られると、スマートフォン１００のアクセス権管理部１５０は、当該ＩＤにより識別されるＴＶ２００による、スマートフォン１００へのアクセスを許可するように、アクセス権の設定を変更する（ステップ４８）。
【００７４】
続いてコンテンツ配信部１６０は、上記ＩＤを用いてＴＶ２００との間で接続を確立し、ＴＶ２００に対して、DLNA Pushによるコンテンツ取得要求を送信する（ステップ４９）。
【００７５】
上記コンテンツ取得要求を受けて、ＴＶ２００のコンテンツ取得部２３０は、スマートフォン１００に対してコンテンツの配信を要求する（ステップ５０）。
【００７６】
そしてスマートフォン１００のコンテンツ配信部１６０は、コンテンツ保持部１４０からコンテンツを読み出し、ＴＶ２００へ送信する（ステップ５１）。
【００７７】
以上説明したように、本実施形態によれば、通信対象の機器（ＴＶ２００）をネットワーク上で識別するＩＤ情報が光学信号（図形画像）として当該機器の表示部に表示され、通信元の機器（スマートフォン１００）は当該光学信号をカメラ１５で撮像し、それからＩＤ情報を読み取る。これにより、スマートフォン１００は、当該ＩＤ情報によって通信対象の機器を特定し、当該機器との間で通信することができる。したがってユーザは、通信対象の機器のＩＰアドレス、ＭＡＣアドレス、型番といった情報を自ら調べる必要なく、単にカメラ１５を通信対象の機器へ向けるだけで、当該機器との通信を開始させることができる。
【００７８】
＜第２の実施形態＞
次に、本技術の第２の実施形態を説明する。本実施形態に係るシステムは、特に説明しない限り上記第１の実施形態と同様の構成及び機能を有する。
【００７９】
［システムの概要］
図６は、本実施形態におけるシステムの概要を示した図である。
【００８０】
同図に示すように、上記第１の実施形態と比べて、本実施形態のシステムは、スマートフォン１００が、インターネット５０等の広域ネットワークを介して、クラウド上のサーバ５００と接続されている点が異なる。
【００８１】
後述するが、サーバ５００は、スマートフォン１００等の通信元の機器からの要求に応じて、通信対象の機器のＩＤ情報を形状認識処理によって取得し、それを通信元の機器へ返すことが可能である。
【００８２】
［スマートフォン、ＴＶ及びサーバのモジュール構成］
図７は、上記スマートフォン１００、ＴＶ２００及びサーバ５００が有するソフトウェアモジュールの構成を示した図である。
【００８３】
（スマートフォンのモジュール）
上記第１の実施形態では、スマートフォン１００は、通信対象の機器の表示部に表示された図形画像からＩＤ情報を読み取っていた。しかし、本実施形態において、スマートフォン１００は、通信対象の機器そのものの形状を基にＩＤ情報を取得する。この際、スマートフォン１００は、当該機器の物体（形状）認識処理をサーバ５００に依頼し、サーバ５００から、当該機器の形状に対応するＩＤ情報を受信する。
【００８４】
同図に示すように、スマートフォン１００は、上記第１の実施形態における図３で示したモジュールと比較すると、上記ＩＤ表示依頼信号送信部１２０及びＩＤ情報読み取り部１３０に代えて、デバイス形状撮影部１７０、画像送信部１８０及び機器情報受信部１９０を有している。
【００８５】
デバイス形状撮影部１７０は、通信対象の機器の全体像を撮影する。
【００８６】
画像送信部１８０は、上記デバイス形状撮影部１７０により撮影された機器の画像をサーバ５００へ、ＩＤ情報認識要求とともに送信する。
【００８７】
機器情報受信部１９０は、上記ＩＤ情報認識要求に応じた上記サーバ５００による処理の結果として、画像に映っている機器のＩＤ情報を受信する。本実施形態におけるＩＤ情報としては、例えば型番が用いられる。
【００８８】
（サーバのモジュール）
サーバ５００は、画像受信部５１０、特徴量抽出部５２０、特徴量／機器情報蓄積部５３０、機器情報検索部５４０及び機器情報送信部５５０の各ソフトウェアモジュールを有する。
【００８９】
画像受信部５１０は、スマートフォン１００の画像送信部１８０から送信された画像を受信する。
【００９０】
特徴量抽出部５２０は、上記画像受信部５１０が受信した画像から、特徴量を抽出する。特徴量としては、従来から存在する技術を用いて、例えばエッジやコーナー等が抽出される。
【００９１】
特徴量／機器情報蓄積部５３０は、機器の形状に関する所定の特徴量と、それに対応するＩＤ情報（例えば型番情報）とをテーブルとして蓄積する。
【００９２】
機器情報検索部５４０は、上記特徴量／機器情報蓄積部５３０のテーブルを参照して、上記特徴量抽出部５２０が抽出した特徴量に対応する機器情報を検索する。
【００９３】
機器情報送信部５５０は、上記機器情報検索部５４０により検索された機器情報を、スマートフォン１００へ返信する。
【００９４】
（ＴＶのモジュール）
ＴＶ２００は、上記第１の実施形態における図３で示したモジュールと比較すると、上記ＩＤ情報送出部２２０に代えて、機器情報送出部２５０を有している。
【００９５】
当該機器情報送出部２５０は、スマートフォン１００からの要求に応じて、自身の機器情報（型番情報）をスマートフォン１００へ送信する。
【００９６】
［システムの動作］
次に、以上のように構成されたシステムの動作について説明する。図８は、当該システムにおけるスマートフォン１００、ＴＶ２００及びサーバ５００の動作の流れを示したシーケンス図である。同図でも、スマートフォン１００が、ＴＶ２００と接続を確立して、自身が保持する特定のコンテンツを、DLNA PushによりＴＶ２００へ配信する場合を例に説明する。
【００９７】
まず、上述の第１の実施形態における図４と同様に、スマートフォン１００のユーザは、ＵＩ表示部１１０を介して、コンテンツの選択及びDLNA Pushの開始を要求する操作を入力する（ステップ８１）。
【００９８】
続いてスマートフォン１００のＩＤ表示依頼信号送信部１２０は、コンテンツ配信対象の機器を選択するようユーザに要求する画面を表示部１４に表示する（ステップ８２）。
【００９９】
上記選択要求に対して、ユーザは、表示部１４にＴＶ２００の全体像が映るように、カメラ１５をＴＶ２００の方向へ向ける（ステップ８３）。
【０１００】
続いてデバイス形状撮影部１７０は、ユーザから、表示部１４に映っている機器（ＴＶ２００）に対するコンテンツ送信を指示する操作を受け付けると（ステップ８４）、上記ＴＶ２００の全体像を静止画像として撮像する（ステップ８５）。
【０１０１】
続いて画像送信部１８０は、上記撮像されたＴＶ２００の画像を、機器情報（型番）検索要求と共にサーバ５００へ送信する（ステップ８６）。
【０１０２】
サーバ５００の画像受信部５１０は、上記画像を受信すると、それを特徴量抽出部５２０へ渡す。
【０１０３】
続いて特徴量抽出部５２０は、当該画像から特徴量を抽出する。機器情報検索部５４０は、当該抽出された特徴量に対応する機器情報を、特徴量／機器情報蓄積部５３０から検索する（ステップ８７）。
【０１０４】
続いて機器情報送信部５５０は、上記検索された機器情報をスマートフォン１００へ送信する（ステップ８８）。
【０１０５】
続いてスマートフォン１００の機器情報受信部１９０は、上記送信された機器情報を受信すると、ホームネットワーク１０内の機器に、ブロードキャストにより機器情報（型番情報）を要求する（ステップ８９）。当該機器情報要求は、例えばＤＬＮＡにおいて定められた"GetDeviceInfo"コマンドにより実行される。
【０１０６】
ＴＶ２００（及びその他の機器）の機器情報送出部２５０は、上記機器情報要求に応じて、自身の機器情報（型番、メーカー名等）を、例えばＤＬＮＡの"ReplyDeviceInfo"コマンドにより返信する（ステップ９０）。
【０１０７】
続いてスマートフォン１００の機器情報受信部１９０は、上記サーバ５００から受信した機器情報と、上記ホームネットワーク１０内の機器から返信された機器情報とを比較して、カメラ１５により撮影された機器がどの機器であるかを特定する（ステップ９１）。同図では、サーバ５００から受信された機器情報と、ＴＶ２００から受信した機器情報とが一致するため、ＴＶ２００が、撮影された機器として特定されることになる。
【０１０８】
そしてコンテンツ配信部１６０は、上記特定された機器であるＴＶ２００へ、上記型番情報等をネットワーク上のＩＤとして用いて、DLNA Pushによりコンテンツを配信する（ステップ９２）。
【０１０９】
以上説明したように、本実施形態によれば、スマートフォン１００は、サーバ５００から形状認識処理の結果として受診した機器情報と、自らが収集したローカルの機器情報との比較により、ＴＶ２００の機器情報を、ホームネットワーク１０上のＩＤ情報として特定することができ、それによりＴＶ２００へコンテンツを配信することができる。
【０１１０】
＜第３の実施形態＞
次に、本技術の第３の実施形態を説明する。本実施形態に係るシステムは、特に説明しない限り上記第１の実施形態と同様の構成及び機能を有する。
【０１１１】
上述の第１及び第２の実施形態では、スマートフォン１００がＤＬＮＡのＤＭＳとして自らが保持するコンテンツをＤＭＰとしてのＴＶ２００へ配信していた。しかし、上述したように、スマートフォン１００は、ＤＭＣとしても機能しうる。例えば、スマートフォン１００は、ＤＭＣとして、ＤＭＳとしてのＢＤレコーダ４００に保持されたコンテンツをＤＭＰとしてのＴＶ２００に再生させることもできる。
【０１１２】
図９は、このようなコンテンツ再生処理が実行される場合のスマートフォン１００、ＢＤレコーダ４００及びＴＶ２００の動作の流れを示したシーケンス図である。
【０１１３】
同図に示すように、まず、スマートフォン１００のＩＤ表示依頼信号送信部１２０は、ユーザから、コンテンツの再生処理の開始要求操作を受け付けると（ステップ１０１）、コンテンツサーバ（コンテンツの配信元となる機器）を選択するようユーザに要求するＵＩ（メッセージ等）を表示する（ステップ１０２）。
【０１１４】
上記選択要求に対して、ユーザは、表示部１４にＢＤレコーダ４００が映るように、カメラ１５をＢＤレコーダ４００の方向へ向ける（ステップ１０３）。この際、表示部１４のＵＩには、例えば、上記選択要求に対して選択処理が完了したか否かをユーザに確認するインタフェース（例えばＯＫ／キャンセルボタン）が表示され、ユーザはＢＤレコーダ４００へカメラを向けると、当該ＯＫボタンを押下する。
【０１１５】
機器の選択が完了した場合、ＩＤ表示依頼信号送信部１２０は、ＢＤレコーダ４００に対して、赤外線通信によりＩＤ表示依頼信号を送信する（ステップ１０４）。
【０１１６】
ＢＤレコーダ４００のＩＤ表示依頼信号受信部２１０は、スマートフォン１００からの上記ＩＤ表示依頼信号を受信し、それをＩＤ情報送出部２２０へ渡す。ＩＤ情報送出部２２０は、ＩＤ情報の表現として、例えばＢＤレコーダ４００の前面に備えられたＬＥＤ（Light Emitting Diode）表示部を点滅させる（ステップ１０５）。
【０１１７】
ここで、選択された機器が表示部を有する場合には、上記ＬＥＤ表示部の点滅処理に代えて、表示部に所定の点滅パターンが表示されてもよい。
【０１１８】
また、上記点滅パターンは赤外光として発光されてもよく、ＩＤを読み取る側の機器（スマートフォン１００）の受光部（カメラ１５等）は、赤外光を読み取る機能を有していてもよい。またこの場合、受光部はカメラである必要はなく、信号の強度のみを読み取り可能な受光素子であってもよい。ＩＤが赤外光として発信されることで、可視光として発信される場合に比べてユーザの目に触れられずに済み、ユーザが不快感やうっとうしさを感じるのが防止される。
【０１１９】
続いて、カメラ１５をＢＤレコーダ４００側へ向けたユーザは、ＵＩ表示部１１０を介して、ＩＤ読み取りを指示する操作を入力する（ステップ１０６）。当該操作に応じて、スマートフォンのＩＤ情報読み取り部１３０は、上記点滅パターンから、ＩＤ情報を読み取る（ステップ１０７）。ここで、ＩＤ情報読み取り部１３０は、上記ステップ１０６におけるＩＤ読み取り指示を待つことなくＩＤ情報を読み取っても構わない。
【０１２０】
続いて、スマートフォンのコンテンツ配信部１６０は、ＢＤレコーダ４００に対して、ＢＤレコーダ４００が有するコンテンツの一覧を要求する（ステップ１０８）。
【０１２１】
上記一覧要求に対して、ＢＤレコーダ４００は、自身が有するコンテンツの一覧をスマートフォン１００へ返信する（ステップ１０９）。
【０１２２】
続いてスマートフォン１００のＵＩ表示部１１０は、上記一覧を例えば表示部１４に表示した上で、いずれかのコンテンツを選択するよう要求するＵＩ（メッセージ等）を表示する（ステップ１１０）。
【０１２３】
続いてＵＩ表示部１１０は、ユーザからいずれかのコンテンツを選択する操作を受け付ける（ステップ１１１）。
【０１２４】
続いてＩＤ表示依頼信号送信部１２０は、コンテンツプレイヤー（コンテンツを再生する機器）を選択するようユーザに要求するＵＩ（メッセージ等）を表示する（ステップ１１２）。
【０１２５】
上記選択要求に対して、ユーザは、表示部１４にＴＶ２００が映るように、カメラ１５をＴＶ２００の方向へ向ける（ステップ１１３）。
【０１２６】
その後は、上記ステップ１０４〜１０７と同様の手順にて、ＴＶ２００のＩＤ情報が読み取られる（ステップ１１４〜１１７）。
【０１２７】
続いて、スマートフォン１００のコンテンツ配信部１６０は、ＴＶ２００からＢＤレコーダ４００へのアクセスを許可するように、ＢＤレコーダ４００へアクセス権設定変更要求を送信する（ステップ１１８）。この要求の送信には上記ＢＤレコーダ４００のＩＤ情報が用いられ、また上記要求には上記ＴＶ２００のＩＤ情報が含まれる。
【０１２８】
上記アクセス権設定変更要求を受けて、ＢＤレコーダ４００は、ＴＶ２００からのアクセスを許可するようにアクセス権設定を変更する（ステップ１１９）。
【０１２９】
続いてスマートフォン１００のコンテンツ配信部１６０は、ＴＶ２００に対して、ＢＤレコーダ４００にアクセスして、そこに保持されているコンテンツのうち上記ユーザに選択されたコンテンツを取得するように要求する（ステップ１２０）。
【０１３０】
上記取得要求を受けて、ＴＶ２００のコンテンツ取得部２３０は、ＢＤレコーダ４００に対してコンテンツの配信を要求する（ステップ１２１）。
【０１３１】
上記コンテンツ配信要求を受け、ＢＤレコーダ４００は、ＴＶ２００がＢＤレコーダ４００に対するアクセス権を有していることを確認した上で（ステップ１２２）、要求されたコンテンツをＴＶ２００へ送信する（ステップ１２３）。
【０１３２】
以上説明したように、本実施形態によれば、ＤＭＣとしてのスマートフォン１００は、ＤＭＳとしてのＢＤレコーダ４００とＤＭＰとしてのＴＶ２００とを順次撮影してそれぞれからＩＤ情報を取得し、ＴＶ２００からのアクセスを許可するようにＢＤレコーダ４００の設定を変更させることができる。
【０１３３】
＜第４の実施形態＞
次に、本技術の第４の実施形態を説明する。本実施形態に係るシステムは、特に説明しない限り上記第３の実施形態と同様の構成及び機能を有する。
【０１３４】
上述の第３の実施形態では、ＢＤレコーダ４００に対するＴＶ２００からのアクセス権の変更は、ＢＤレコーダ４００自身が管理しており、スマートフォン１００は、ＢＤレコーダ４００に対して当該アクセス権の設定変更を要求した。しかし、本実施形態では、当該アクセス権は、他の機器間のアクセス権と共に、クラウド上のサーバ５００が管理している。したがってスマートフォン１００は、上記アクセス権の設定変更をサーバ５００へ要求することとしている。
【０１３５】
図１０は、本実施形態においてコンテンツ再生処理が実行される場合のスマートフォン１００、ＢＤレコーダ４００、ＴＶ２００及びサーバ５００の動作の流れを示したシーケンス図である。
【０１３６】
同図に示すように、ステップ１３１〜ステップ１４７までの処理は、上記第３の実施形態における図９のステップ１０１〜ステップ１１７までの処理と同様である。
【０１３７】
スマートフォンのコンテンツ配信部１６０は、ＢＤレコーダ４００及びＴＶ２００からそれぞれＩＤ情報を取得すると、ＴＶ２００からＢＤレコーダ４００へのアクセスを許可するように、サーバ５００へアクセス権設定変更要求を送信する（ステップ１４８）。この要求には、上記ＢＤレコーダ４００及びＴＶ２００の各ＩＤ情報が含まれる。
【０１３８】
上記アクセス権設定変更要求を受けて、サーバ５００は、ＴＶ２００からＢＤレコーダ４００へのアクセスを許可するようにアクセス権設定を変更する（ステップ１４９）。
【０１３９】
その後の処理は、上記第３の実施形態における図９のステップ１２０〜ステップ１２３の処理と同様である（ステップ１５０〜１５３）。
【０１４０】
以上説明したように、本実施形態によれば、ＤＭＣとしてのスマートフォン１００は、ＤＭＳとしてのＢＤレコーダ４００とＤＭＰとしてのＴＶ２００とを順次撮影してそれぞれからＩＤ情報を取得し、両者間のアクセスを許可するようにサーバ５００における設定を変更させることができる。
【０１４１】
［変形例］
本技術は上述の実施形態にのみ限定されるものではなく、本技術の要旨を逸脱しない範囲内において種々変更され得る。
【０１４２】
（変形例１）
各機器のＩＤは、上述の第１の実施形態において、それらの表示部に図形の画像として表示され、上述の第２の実施形態において、当該機器の形態そのものとして認識され、第３及び第４の実施形態において、ＬＥＤの点滅パターンとして送出されていた。しかし、ＩＤの形態はこれに限られない。すなわち、ＩＤは、各機器から光学信号として発せられるものであればどのようなものでもよい。
【０１４３】
例えば、ＩＤは、各機器の筐体に、ＱＲコードのような図形、記号、模様、文字等が印刷されたシールの形態で貼付されていてもよい。
【０１４４】
またＩＤは、映像信号に挿入されたウォーターマークであってもよい。この場合ＩＤ発信側の機器は、ウォーターマークが挿入された映像信号を、例えばホームネットワーク１０を介してＩＤ読み取り側の機器へ送信してもよい。
【０１４５】
またＩＤは、上記シールや機器自体の形状のように、常に発光された（読み取り可能な）状態とされてもよいし、上述の各実施形態で説明したように、ＬＡＮ経由または赤外線（リモートコントローラ）により表示依頼があったときにのみ通信対象の機器に表示されてもよい。また通信対象の機器に物理的なボタンが設けられ、ユーザによりこのボタンが押された場合にのみ、ＩＤが表示部等に表示されたり点滅パターンとして発光されたりして、それに基づいて読み取り側の機器がＩＤの読み取り処理を実行してもよい。
【０１４６】
（変形例２）
上述の第２の実施形態では、通信対象の機器のＩＤ情報は、その機器の全体像を基に取得された。しかし、当該機器の全体像ではなく、一部の像（例えば特徴的な部分の形状）を基にＩＤ情報が取得されてもよい。
【０１４７】
（変形例３）
上述の第１乃至第４の実施形態では、カメラ１５等により受光される光学信号は１つの機器のみからのものであった。しかし、場合によっては、カメラ１５の撮像範囲に複数の機器が入る可能性もある。その場合、スマートフォン１００は、表示部１４に写っているそれら複数の機器の画像から、いずれかを通信対象の機器として例えばタッチ操作により選択するように要求するメッセージを表示してもよい。そしてスマートフォン１００は、選択された機器が発する光学信号からＩＤ情報を読み取ってもよい。しかし、ユーザが複数の機器を通信対象としたい場合には、それぞれの機器が発する光学信号からそれぞれＩＤ情報が読み取られても構わない。この場合、上記選択要求のメッセージに、複数の機器を通信対象とするための選択肢が提供されればよい。
【０１４８】
（変形例４）
上述の第２の実施形態では、機器の形状認識処理は、スマートフォン１００からの要求に基づき、サーバ５００で行われたが、スマートフォン１００で行われても構わない。この場合スマートフォン１００は、図７で示したサーバ５００が有するソフトウェアモジュールと同様のモジュールを有していればよい。
【０１４９】
（変形例５）
上述の第１乃至第４の実施形態においては、本技術がＤＬＮＡ上で実施される例が示されたが、もちろん、本技術は、ＤＬＮＡ以外の規格に準拠したネットワーク上で実施されても構わない。
【０１５０】
（変形例６）
上述の第１乃至第４の実施形態では、ＩＤ情報を読み取る機器としてスマートフォンが適用された例が説明された。しかし、当該機器はもちろんスマートフォンに限られず、例えばデジタルスチルカメラ、デジタルビデオカメラ、ポータブルゲーム機、タブレットＰＣ等、カメラまたは受光素子を有する情報処理装置であれば本技術が同様に適用されうる。
【０１５１】
［その他］
本技術は以下のような構成も採ることができる。
（１）
他の機器が発した光学信号を受光可能な受光部と、
前記受光された光学信号を基に、前記他の機器をネットワーク上で識別する識別情報を取得可能な制御部と、
前記取得された識別情報を基に、前記他の機器との間で接続を確立可能な通信部と
を具備する情報処理装置。
（２）
上記（１）に記載の情報処理装置であって、
前記受光部は、前記他の機器を撮像可能であり、
前記情報処理装置は、前記撮像された他の機器の像を表示可能な表示部をさらに具備し、
前記制御部は、前記他の機器の像が前記表示部に表示された場合に前記識別情報を取得可能である
情報処理装置。
（３）
上記（１）または（２）に記載の情報処理装置であって、
前記他の機器は、前記光学信号として、前記識別情報に対応した所定の画像を表示可能であり、
前記受光部は、前記画像を撮像可能であり、
前記制御部は、前記撮像された画像から前記識別情報を取得可能である
情報処理装置。
（４）
上記（１）または（２）に記載の情報処理装置であって、
前記受光部は、前記他の機器の少なくとも一部の像を前記光学信号として受光可能であり、
前記制御部は、前記他の機器の少なくとも一部の像を対象とした物体認識処理の結果に基づいて前記他の機器の識別情報を取得可能である
情報処理装置。
（５）
上記（１）〜（４）のいずれかに記載の情報処理装置であって、
前記他の機器へ前記光学信号の発信を要求する要求信号を送信可能な送信部をさらに具備する
情報処理装置。
（６）
上記（２）〜（５）のいずれかに記載の情報処理装置であって、
前記他の機器の像が前記表示部に複数表示された場合に、複数の像のうちいずれか１つを選択する操作を受け付け可能な操作受付部をさらに具備し、
前記制御部は、前記操作により選択された像に対応する機器の前記識別情報を取得可能である
情報処理装置。
（７）
上記（１）〜（６）のいずれかに記載の情報処理装置であって、
コンテンツを記憶する記憶部をさらに具備し、
前記制御部は、前記接続を確立した他の機器へ、前記コンテンツを送信するように前記通信部を制御可能である
情報処理装置。
（８）
上記（１）〜（７）のいずれかに記載の情報処理装置であって、
前記受光部は、第１の機器が発した第１の光学信号と、前記第１の機器とは異なる第２の機器が発した第２の光学信号を受光可能であり、
前記制御部は、前記第１の光学信号を基に前記第１の機器の第１の識別情報を取得し、前記第２の光学信号を基に前記第２の機器の第２の識別情報を取得することが可能であり、
前記通信部は、前記第１の識別情報を基に前記第１の機器と接続を確立し、前記第２の識別情報を基に前記第２の機器と接続を確立し、前記第１の機器と前記第２の機器との間のアクセス設定を変更するように要求する設定変更要求を前記第１の機器または前記第２の機器へ送信することが可能である
情報処理装置。
（９）
上記（１）〜（７）のいずれかに記載の情報処理装置であって、
前記受光部は、第１の機器が発した第１の光学信号と、前記第１の機器とは異なる第２の機器が発した第２の光学信号を受光可能であり、
前記制御部は、前記第１の光学信号を基に前記第１の機器の第１の識別情報を取得し、前記第２の光学信号を基に前記第２の機器の第２の識別情報を取得することが可能であり、
前記通信部は、前記第１の識別情報を基に前記第１の機器と接続を確立し、前記第２の識別情報を基に前記第２の機器と接続を確立し、前記第１の機器と前記第２の機器との間のアクセス設定を変更するように要求する設定変更要求を、当該アクセス設定を管理するネットワーク上のサーバへ送信することが可能である
情報処理装置。
（１０）
上記（１）〜（９）のいずれかに記載の情報処理装置であって、
前記光学信号は赤外光として発せられ、
前記受光部は、前記赤外光を受光可能である
情報処理装置。
【符号の説明】
【０１５２】
１０…ホームネットワーク
１１…ＣＰＵ
１２…ＲＡＭ
１３…不揮発メモリ
１４…表示部
１５…カメラ
１７…通信部
５０…インターネット
１００…スマートフォン
１１０…ＵＩ表示部
１２０…ＩＤ表示依頼信号送信部
１３０…ＩＤ読み取り部
１４０…コンテンツ保持部
１５０…アクセス権管理部
１６０…コンテンツ配信部
１７０…デバイス形状撮影部
１８０…画像送信部
１９０…機器情報受信部
２００…ＴＶ
２１０…ＩＤ表示依頼信号受信部
２２０…ＩＤ情報送出部
２３０…コンテンツ取得部
２４０…コンテンツ再生部
２５０…機器情報送出部
３００…ＰＣ
４００…ＢＤレコーダ
５００…サーバ
５１０…画像受信部
５２０…特徴量抽出部
５３０…機器情報蓄積部
５４０…機器情報検索部
５５０…機器情報送信部
【図１】
2014053667.tif 000003
【図２】
2014053667.tif 000004
【図３】
2014053667.tif 000005
【図４】
2014053667.tif 000006
【図５】
2014053667.tif 000007
【図６】
2014053667.tif 000008
【図７】
2014053667.tif 000009
【図８】
2014053667.tif 000010
【図９】
2014053667.tif 000011
【図１０】
2014053667.tif 000012